(57)【要約】【課題】   和服の着用時、衿は着用中の動作により着崩れを起こしやすい部分であり、それを防ぐためには紐できつく結束する、熟練者が着付けを行うなどの必要があった。しかし、紐できつく結束することは着用中の不快感と健康を害するおそれがあった。     【解決手段】和服の下に着る長襦袢の代替とすることを提供する。長襦袢の紐が締め付けるのを防ぎ長襦袢の衿と身ごろが縫いつけられて前開きでなく洋服の様に頭から被り着用する。長襦袢の衿部分を持つ一体型である伸縮性のある身ごろの生地は季節により変える。快適な着用感とサポート感を持ち洗濯機で洗っても、衿の形状は元に戻り快適な着用感とサポート感を持ち洗濯機で洗っても、衿の形状は元に戻りそのまま着ることが出来るような生地とする。衿を縫いつけた肌着はプルオーバータイプで袖は７分袖とする。【選択図】        図１
2011162887.tif 000002
【特許請求の範囲】
【請求項１】
和服を着用する際、長襦袢の代用となり、頭から被るプルオーバータイプの和服用肌着であって長襦袢の伸縮性がある衿を首まわりを一周させて縫い合わせて固定し、左右の衿が重なる身ごろの前中心みぞおちの位置で、左を上にして、右を下に、右を上にして、左を下にし、衿先を一文字にして縫い合わせ固定したことを特徴とする和服用の長襦袢。
【発明の詳細な説明】
【技術分野】
【０００１】
長襦袢の衿には半襟の生地模様やビーズをつけた衿にして、従来の長襦袢の衿の厚みを持った別仕立てにした衿を身頃に縫い合わせる方法で、左右の衿が重なる身ごろの前中心みぞおちの位置で女は、左を上にして、右を下に、男は右を上にして、左を下にし、左右の衿先をひとつにして一文字に縫い合わせたり、湖塗したりして固定する。長襦袢を着ていなくても和服の上から着ているように見せる事が出来、紐で衿の着崩れるのを防ぐために体を縛ることなく洋装に慣れた人も簡便にした身頃は、夏涼しく、冬あたたかな、快適素材の伸縮自在な衿も身ごろも形状を保ち着用時は伸び着用後は、元に戻りそのまま着ることが出来る身ごろや衿は洗濯に耐える生地として、長襦袢を代替させるので女物は花柄や美しい色で身ごろを作り男物は男物の柄や色で身ごろを仕立てる。
本発明は、プルオーバータイプ衿付き和服用肌着で和服の長襦袢の代用ができる。
従来長襦袢という前開き2重部を有して着物の下に着て紐で衿が着崩れしないように締め付けるものを、見せる長襦袢の衿の機能があり、洋装の容易さも合わせて持つ一体型の和服用長襦袢である。
【背景技術】
【０００２】
和服の下に着る長襦袢の代替とする事を提供する。長襦袢の紐が締め付けるのを防ぎ長襦袢の衿と身ごろが縫いつけられて前開きでなく洋服の様に縫い合わされて頭から被る一体型である。快適な着用感とサポート感を持ち洗濯機で洗っても、衿の形状は元に戻りそのまま着ることが出来るような伸縮性を持つ生地とする。プルオーバータイプで袖は７分袖とする。
【発明の概要】
【発明が解決しようとする課題】
【０００３】
和服の着用時、衿は着用中の動作により着崩れを起こしやすい部分であり、それを防ぐためには紐できつく結束する、熟練者が着付けを行うなどの必要があった。しかし紐できつく結束することは着用中の不快感と健康を害するおそれがあった。紐を使わないで着る長襦袢の代替があれば快適であり、従来襦袢の紐も必要なので一枚で長襦袢と襦袢の紐も省略できて締め付け感を解放することを提供でき着付けが容易となる。プルオーバータイプで着物の下着である所が似ているものとして下記のような特許出願との違いを以下に述べる。
公開特許公報２００７−２５４９１６
発明の名称  美的且つ着用時着崩れしにくい着物用肌着の形態の裁断縫製構造物があるが、これは着物の下着として見えないように衿ぐりが深く開けているだけの事である。プルオーバータイプの下着であり、着用時に衿を出す長襦袢が別途必要である。
しかし本発明は長襦袢と襦袢を兼ねているので1枚が省略出来るのが可能であり、衿と肌着が一体となっているので衿ぐりを深く開けることなく1枚で肌着と長襦袢の機能を備えている。故に紐が省略出来洋装に慣れた人にも着ることが容易である。
実開昭６３−０４２１０３号の公報    
考案名称シャッは和服、作務衣、甚平の下着であるが、本発明は、和服を着るとき省略
出来ない長襦袢を洋装に慣れた人にも容易に着て紐で締め付けることを解消したものであり、見せる衿を持つ和服用長襦袢である。
【０００４】
着崩れを起こしやすい部分が着付けを容易にする下着を創出できる。従来襦袢の紐も必要なので一枚で長襦袢と襦袢の紐も省略できて締め付け感を解放することを提供できる。
【課題を解決するための手段】
【０００５】
本発明は和服を着用する際、長襦袢の代用となり、頭から被るプルオーバータイプの和服用肌着であって長襦袢の伸縮性がある衿を首まわりを一周させて縫い合わせ固定し、左右の衿が重なる身ごろの前中心みぞおちの位置で、左を上にして、右を下に、右を上にして、左を下にし、衿先を一文字にして縫い合わせ固定したことを特徴とする和服用の長襦袢である。
【０００６】
本発明の肌着とは、プルオーバータイプで長襦袢の代替が出来ることを特徴とし衿のあわせ目が固定されて動かないので着崩れを防ぐことが提供できる。
【発明の効果】
【０００７】
長襦袢を着ていなくても和服の上から着ているように見せる事が出来、紐で衿の着崩れるのを防ぐために体を縛ることなく洋装に慣れた人も簡便にした身頃は、夏涼しく、冬あたたかな、快適素材の伸縮自在で衿も形状を保ち着用時は伸び着用後は、元に戻りそのまま着ることが出来る。身ごろや衿は洗濯に耐える生地として、長襦袢を代替させるので女物は花柄や美しい色で身ごろを作り男物は男物の柄や色で身ごろを仕立て本発明は、プルオーバータイプ衿付き和服用肌着で和服の長襦袢の代用ができる。本発明の肌着は長襦袢を着る時と同じ効果を持つので長襦袢を省略できて長襦袢と同様な効果を持ちなお一体型プルオーバータイプ衿付き和服用肌着であり簡便に着ることを提供する。
【図面の簡単な説明】
【０００８】
【図１】本発明の下着斜視図である。
【発明を実施するための形態】
【０００９】
頭から被るプルオーバータイプで簡便に着用長襦袢の代替が出来ることを特徴とし衿が動かないことが着崩れを防ぐ特徴がある。  
【実施例】
【００１０】
図に基づいて説明する。頭から被るプルオーバータイプにするために別仕立ての長襦袢の衿を縫い合わせたり、ファスナーを使ったり、糊塗する等考えられる可能な方法があり、図２の肌着部分と１の衿部分と３衿の左右の合わせ目を固定させて衿先を一文字に縫い合わせて動かない事を特徴とする。
【００１１】
本発明の意義は和服の着付けにおける使用方法を説明する。この使用方法は、和服の下に着用して冬は寒さを防ぎ夏は涼しい伸縮性のある生地の和服の長襦袢の代替を可能にしたことを提供する。
【符号の説明】
【００１２】
１衿            
２肌着
３衿左右の合わせ目
【図１】
2011162887.tif 000003
【手続補正書】
【提出日】平成22年6月7日(2010.6.7)
【手続補正２】
【補正対象書類名】明細書
【補正対象項目名】０００１
【補正方法】変更
【補正の内容】
【０００１】
長襦袢の衿には半襟の生地模様やビーズをつけた衿にして、従来の長襦袢の衿の厚みを持った別仕立てにした衿を身ごろに縫い合わせる方法で、左右の衿が重なる見ごろの前中心みぞおちの位置で、女は左右の衿の左を上にして、右を下になるように又は左右の衿の男は右を上にして左を下なるように重ねて、左右の衿先をひとつにして一文字に縫い合わせたり、糊塗したりして固定する。長襦袢を着ていなくても和服の上から着ているように見せる事が出来、紐で衿の着崩れるのを防ぐために体を縛ることなく洋装に慣れた人も簡便にした身ごろは、夏涼しく、冬暖かな快適素材の伸縮自在な衿も身ごろも形状を持ち着用時は伸び着用後は元に戻りそのまま着ることが出来る身ごろや衿は洗濯に耐える生地として長襦袢を代替させるので女物は花柄や美しい色で身ごろを作り男物は男物の色や柄で身ごろを仕立てる。
本発明はプルオーバタイプ衿付き和服用肌着で和服の長襦袢の代用ができる。従来長襦袢という前開き２重部を有して着物の下に着て紐で衿が着崩れないように締め付けるものを、見せる長襦袢の衿の機能があり、洋装の容易さも合わせ持つ一体型の和服用肌着である。
【手続補正３】
【補正対象書類名】明細書
【補正対象項目名】０００５
【補正方法】変更
【補正の内容】
【０００５】
本発明は和服を着用する際長襦袢の代用となり頭から被るプルオーバータイプの和服用肌着であって、伸縮性のある衿を身ごろの首まわりを一周させて縫い合わせ固定し、左右の衿が重なる身ごろの前中心みぞおちの位置で、左右の衿の左を上にして、右を下になるように又は左右の衿の右を上にして左を下になるように重ねて衿先を一文字に縫い合わせて固定したことを特徴とする和服用肌着である。
【手続補正４】
【補正対象書類名】特許請求の範囲
【補正対象項目名】全文
【補正方法】変更
【補正の内容】
【特許請求の範囲】
【請求項１】
和服を着用する際、長襦袢の代用となり、頭から被るプルオーバータイプの和服用肌着であって、伸縮性のある衿を身ごろの首まわりを一周させて縫い合わせて固定し、左右の衿が重なる身ごろの前中心みぞおちの位置で、左右の衿の左を上にして、右を下になるように、又は左右の衿の右を上にして、左を下になるように重ねて、衿先を一文字に縫い合わせ固定したことを特徴とする和服用肌着。